(57)【要約】      （修正有）【課題】録画キー／再生キー／停止キーで指示するだけで、既設モードやモード選択を表示して案内し、及び録画／再生／停止の夫々の操作案内を表示させると共に、限られたスペースにおいても表示可能なように簡潔に案内を表示させる操作対象案内機能を備えた複合電子装置を提供する。【解決手段】複数の記録媒体の夫々に録画再生を行う複数の装置部２１，２８を一体的に組み込んだ複合電子装置１において、複合電子装置１は、装置部２１，２８を選択するためのモード切換部と、複数の装置部２１，２８の操作に共通する兼用キーを含んだ複数の操作キーを有し、兼用キーが押された際には、モード切換部の操作案内を表示するように構成した。【選択図】図３
2006338748.tif 000002
【特許請求の範囲】
【請求項１】
複数の記録媒体の夫々に録画再生を行う複数の装置部を一体的に組み込んだ複合電子装置において、該複合電子装置は、装置部を選択するためのモード切換部と、複数の装置部の操作に共通する兼用キーを含んだ複数の操作キーを有し、該兼用キーが押された際には、該モード切換部の操作案内を表示するように構成したことを特徴とする操作対象案内機能を備えた複合電子装置。
【請求項２】
複数の記録媒体の夫々に録画再生を行う複数の装置部を一体的に組み込んだ複合電子装置において、該複合電子装置は、複数の装置部の操作に共通する兼用キーを含んだ複数の操作キーを有し、該操作キーが押された際には夫々の操作キーに対応したコードを指示する指示信号を送信する送信部と、該指示信号を受信する入力部と、該入力部が受信した指示信号から選択されているモードを解読すると共に、前記指示信号のコードから前記操作キー或いは兼用キーの何れによる指示信号であるかを解読し、前記操作が兼用キーによる操作お時には、その操作対象とする装置部のモード操作案内を出力表示するように構成したことを特徴とする操作対象案内機能を備えた複合電子装置。
【請求項３】
前記兼用キーが押された際には、複数のモードに対して有効なキーであるかどうかを判別し、１つのモードにだけに対して有効なキーであり、尚且つ現在のモードに対して有効なキーである場合においては、該モード切換部の操作案内を表示しないように構成し、複数の装置部に対して有効なキーである場合と、１つのモードにだけに対して有効なキーであり、尚且つ現在のモードとは異なるモードに対して有効なキーである場合において、該モード切換部の操作案内を表示するように構成したことを特徴とする請求項１又は請求項２記載の操作対象案内機能を備えた複合電子装置。
【請求項４】
前記モード切換部の操作案内は、操作対象とする装置部を選択するようにした画面表示であり、装置部の選択に応じてモードを切り換えた後に、操作キーの操作に従って制御するように構成したことを特徴とする請求項１乃至３の内の一つの請求項記載の操作対象案内機能を備えた複合電子装置。
【請求項５】
前記指示信号から解読されたコードが前記兼用キーに対応する場合には、現在のモードで有効なキーであるか否かを判断し、現在のモードで有効なキーであれば、操作キーの操作に従って制御し、現在のモードで有効なキーでない場合には、操作対象とする装置部のモード操作案内を出力表示するように構成したことを特徴とする請求項１記載の操作対象案内機能を備えた複合電子装置。
【請求項６】
前記指示信号から解読されたコードに対応する操作キーが現在のモードで有効なキーでない場合には、操作対象とする装置部の選択する画面表示を行い、装置部の選択に応じてモードを切り換えた後に、操作キーの操作に従って制御するように構成したことを特徴とする請求項５記載の操作対象案内機能を備えた複合電子装置。
【請求項７】
複数の記録媒体の夫々に録画再生を行う複数の装置部を一体的に組み込んだ複合電子装置において、該複合電子装置は、複数の装置部の操作に共通する兼用キーを含んだ複数の操作キーを有し、操作対象とする前記装置部が特定される複数のモードを切換え可能とし、前記複数の操作キーに対応したコードを有する指示信号を送信して前記複合電子装置を遠隔操作するリモコン装置からの指示信号を受信する入力部と、該入力部が受信した指示信号から前記リモコン装置が選択されているモードを解読すると共に、前記コードから前記操作キーの何れによる指示信号であるかを解読し、解読結果に基づいて前記複数の装置部と前記複合電子装置全体を制御すると共に、前記兼用キーは選択された夫々のモードに連動して夫々の装置部の操作キーとして機能するように制御し、解読された前記リモコン装置のモードを記憶し、前記兼用キーによる操作時にその操作対象とする夫々のモード選択の操作案内を前記表示部に表示させるように構成したことを特徴とする操作対象案内機能を備えた複合電子装置。
【発明の詳細な説明】
【技術分野】
【０００１】
本発明は、ＨＤＤ（Ｈａｒｄ  Ｄｉｓｋ  Ｄｒｉｖｅ）装置部、ＤＶＤ（Ｄｉｇｉｔａｌ  Ｖｅｒｓａｔｉｌｅ  Ｄｉｓｃ）装置部、ＶＣＲ（Ｖｉｄｅｏ  Ｃａｓｓｅｔｔｅ  Ｒｅｃｏｒｄｅｒ）装置部、メモリーカード（Ｍｅｍｏｒｙ  Ｃａｒｄ）装置部などのうち特定のＡＶ（Ａｕｄｉｏ  Ｖｉｓｕａｌ）装置部を組み合わせて一体的に組み込んだ複数のＡＶ装置部を備えた複合電子装置に関し、特にユーザが所望する特定の記録媒体に対して録画/再生/停止を容易に行うことが出来る操作対象案内機能を備えた複合電子装置に関する。
【背景技術】
【０００２】
近年、ＤＶＤ装置部、ＶＣＲ装置部、及びＨＤＤ装置部などの複数のＡＶ装置部を一体的に組み込んだ複合電子装置や、前記複数の装置部を一体的に組み込んだテレビなどの複合電子装置においては、複合電子装置を動作させるに際し、複合電子装置に有する操作キーや、複合電子装置を遠隔操作するリモコン装置の操作キーを押下するなどして録画、再生、停止などの操作を行うが、これらの複合電子装置には、どの装置部を使用して録画などをするのかを選択するための「モード切換えキー」が設けられてはいるが、このモード切換えキーによる、ＤＶＤモード、ＶＣＲモード、ＨＤＤモードなどの内の、何れかが選択されているかは、ユーザにとっては見難く理解し辛い為、ユーザがモードを指定して録画などを行わせるには、現在の選択されているモードの確認を行った後に、毎回、所望する特定のモードに切換えなければならないといった煩わしい操作が必要であった。
【０００３】
特許文献１には、設定されたモード以外のモードで使用されるリモートコントロール送信器のキー操作が、操作されたことをユーザに報知し、ユーザの誤った操作を回避しようとする電子機器が提案されている。
【０００４】
【特許文献１】特開２００５−５１３１０号公報
【発明の開示】
【発明が解決しようとする課題】
【０００５】
前述した複合電子装置においては、ユーザが録画／再生／停止の何れかのキー操作を行った際に、例えば、録画状態などにより、現在のモードから他のモードへの操作変更が不可能な状態、例えば、ＤＶＤ装置部の停止の操作を行なおうとする際、既にＤＶＤモードが選択されていて、このＤＶＤモードの状態を保持した状態、即ち現在のモードがＤＶＤモードであり、このＤＶＤモード時に、ＤＶＤディスクがＤＶＤ装置部に装着されていない状態、或いは、既にＤＶＤ装置部の録画動作が終了した状態、或いは停止の指示により停止状態であるなどにより、ＤＶＤモードでの停止操作ができない為、ＶＣＲモードなど他のモードに切換えるには、現在のモードがＤＶＤモードであることを装置の前部に配置された表示管にＤＶＤディスクやビデオカセットなどを示す記号やＤＶＤ、ＶＣＲなどと表示された文字から確認し、「モード切換えキー」を押下してＶＣＲモードに切り換える操作などが必要であった。なお、本発明において「記録再生」という言葉は、「記録及び再生」の意味と「記録又は再生」の意味を含んだ用語として用いるものとする。
【０００６】
また、近年はＶＣＲ装置部やＨＤＤ装置部等が再生中であり、ＤＶＤ装置部は停止中であるがＤＶＤモードが選択されている状態において、前記ＶＣＲ装置部やＨＤＤ装置部の再生を停止するには、前述のように現在のモードを確認し、「モード切換えキー」を押下して目的の装置部のモード（ＶＣＲモード或いはＨＤＤモード等）に切換え、続いて「停止キー」を押下してＶＣＲ或いはＨＤＤ再生を停止させる必要があった。また、複数のモードでの操作変更が可能な状態のときには、例えば、現在のモードはＤＶＤモードで、ＤＶＤ装置部、ＶＣＲ装置部及びＨＤＤ装置部が共に停止状態であり、各モードで再生操作が可能なときにＤＶＤ再生を行うには「再生キー」を押下するだけでＤＶＤ再生は開始されるが、他のモード（ＶＣＲ或いはＨＤＤ再生等）を行うには、前述と同様に現在のモードを確認し、「モード切換えキー」を押下してＶＣＲモード或いはＨＤＤモードに切り換え、「再生キー」を押下してＶＣＲ或いはＨＤＤ再生を開始するなど、録画／再生／停止の操作を行う際は、ユーザは現在どのモードを選択中であるかの確認を必要とし、前記煩雑なキー操作を行なわなければならなかった。また、ＨＤＤ装置部に録画しようとしたものの、既に設定モードがＤＶＤモードになっていたりすると、ご操作によってＤＶＤに録画してしまうといった虞がある。
【０００７】
また、前述の特許文献１における従来技術によれば、リモコン装置の設定モードとは異なるモード用のキー操作に基づくリモコン信号が送信された場合に、モードが異なるキー操作である旨をメッセージ表示する。例えばＤＶＤモードに設定されていて、ＶＣＲ装置部用のキーが操作された場合、「リモコンがＤＶＤモードに設定されています。ＴＶ／ＶＣＲを操作する場合は、リモコンのモードを切り換えて下さい。」と表示し、或いは、「その操作は行えません。」と表示することから、現在のモードを表示して知らせてくれるものの、表示される文字数が多いため、前記テレビなどとは別体に前記ＤＶＤ装置部とＶＣＲ装置部とを一体的に組み込んだ複合電子装置の場合は、どのモードに設定されているかをＬＥＤ点灯させて表示するインジケータを大きくする必要がある。また、案内表示に従って「モード切換えキー」を押下するなど煩雑なキー操作が必要であった。
【０００８】
そこで本発明は、前記課題に鑑みてなされたものであり、ユーザが所望する特定のＡＶ装置部に対して録画／再生／停止の操作を行う際は、これらの操作を録画キー／再生キー／停止キーで指示するだけで、既設モードやモード選択を表示して案内し、及び録画／再生／停止の夫々の操作案内を表示させると共に、装置本体に設けられた表示管の限られたスペースにおいても表示可能なように簡潔に前記案内を表示させる操作対象案内機能を備えた複合電子装置を提供することを目的とする。
【課題を解決するための手段】
【０００９】
本発明の操作対象案内機能を備えた複合電子装置は、複数の記録媒体の夫々に録画再生を行う複数の装置部を一体的に組み込んだ複合電子装置において、該複合電子装置は、装置部を選択するためのモード切換部と、複数の装置部の操作に共通する兼用キーを含んだ複数の操作キーを有し、該兼用キーが押された際には、該モード切換部の操作案内を表示するように構成したことを特徴とする。
【００１０】
本発明の操作対象案内機能を備えた複合電子装置は、複数の記録媒体の夫々に録画再生を行う複数の装置部を一体的に組み込んだ複合電子装置において、該複合電子装置は、複数の装置部の操作に共通する兼用キーを含んだ複数の操作キーを有し、該操作キーが押された際には夫々の操作キーに対応したコードを指示する指示信号を送信する送信部と、該指示信号を受信する入力部と、該入力部が受信した指示信号から選択されているモードを解読すると共に、前記指示信号のコードから前記操作キー或いは兼用キーの何れによる指示信号であるかを解読し、前記操作が兼用キーによる操作お時には、その操作対象とする装置部のモード操作案内を出力表示するように構成したことを特徴とする。
【００１１】
また、本発明の操作対象案内機能を備えた複合電子装置は、前記兼用キーが押された際には、複数のモードに対して有効なキーであるかどうかを判別し、１つのモードにだけに対して有効なキーであり、尚且つ現在のモードに対して有効なキーである場合においては、該モード切換部の操作案内を表示しないように構成し、複数の装置部に対して有効なキーである場合と、１つのモードにだけに対して有効なキーであり、尚且つ現在のモードとは異なるモードに対して有効なキーである場合において、該モード切換部の操作案内を表示するように構成したことを特徴とする。
【００１２】
また、本発明の操作対象案内機能を備えた複合電子装置は、前記モード切換部の操作案内は、操作対象とする装置部を選択するようにした画面表示であり、装置部の選択に応じてモードを切り換えた後に、操作キーの操作に従って制御するように構成したことを特徴とする。
【００１３】
また、本発明の操作対象案内機能を備えた複合電子装置は、前記指示信号から解読されたコードが前記兼用キーに対応する場合には、現在のモードで有効なキーであるか否かを判断し、現在のモードで有効なキーであれば、操作キーの操作に従って制御し、現在のモードで有効なキーでない場合には、操作対象とする装置部のモード操作案内を出力表示するように構成したことを特徴とする。
【００１４】
さらに、本発明の操作対象案内機能を備えた複合電子装置は、前記指示信号から解読されたコードに対応する操作キーが現在のモードで有効なキーでない場合には、操作対象とする装置部の選択する画面表示を行い、装置部の選択に応じてモードを切り換えた後に、操作キーの操作に従って制御するように構成したことを特徴とする。
【００１５】
本発明の操作対象案内機能を備えた複合電子装置は、複数の記録媒体の夫々に録画再生を行う複数の装置部を一体的に組み込んだ複合電子装置において、該複合電子装置は、複数の装置部の操作に共通する兼用キーを含んだ複数の操作キーを有し、操作対象とする前記装置部が特定される複数のモードを切換え可能とし、前記複数の操作キーに対応したコードを有する指示信号を送信して前記複合電子装置を遠隔操作するリモコン装置からの指示信号を受信する入力部と、該入力部が受信した指示信号から前記リモコン装置が選択されているモードを解読すると共に、前記コードから前記操作キーの何れによる指示信号であるかを解読し、解読結果に基づいて前記複数の装置部と前記複合電子装置全体を制御すると共に、前記兼用キーは選択された夫々のモードに連動して夫々の装置部の操作キーとして機能するように制御し、解読された前記リモコン装置のモードを記憶し、前記兼用キーによる操作時にその操作対象とする夫々のモード選択の操作案内を前記表示部に表示させるように構成したことを特徴とする。
【発明の効果】
【００１６】
本発明によれば、ユーザの操作キーの操作に応じて、操作案内を表示することにより、ユーザが不安を覚えることなく装置を操作できるものである。特に、兼用キーによる操作時にその操作対象とする装置部のモード操作案内を出力表示してユーザに報知することができる。つまり、兼用キーが操作されたとき、モード切り換えの可能性がある場合には「どのモードにするか」を聞いてくるものである。
【００１７】
さらに本発明によれば、解読されたコードが前記兼用キーに対応する場合には、ユーザに不便を感じさせずに操作キーの操作に従って制御し、現在のモードで有効なキーでない場合には、ユーザに操作対象とする装置部のモード操作案内を出力表示することができる。
【００１８】
さらに本発明によれば、解読されたコードに対応する操作キーが現在のモードで有効なキーでない場合には、操作対象とする装置部の選択する画面表示を行い、装置部の選択に応じてモードを切り換えた後に、操作キーの操作に従って制御するよにしたので、ユーザの操作を間違いなく誘導することができる。
【００１９】
さらに本発明によれば、解読された前記リモコン装置のモードを記憶し、兼用キーによる操作時にその操作対象とする夫々のモード選択の操作案内を前記表示部に表示させてユーザに報知することができる。
【００２０】
さらに本発明によれば、ユーザが兼用キーを操作する前にモード確認をする煩わしさが解消されて、操作性が向上するもので、間違ったモードのままで意図しない動作になってしまうことを防止することができる。
【００２１】
さらに本発明によれば、兼用キーを操作したときに「どのモードにするか」を聞いてくるので、専用の「モード切り換えキー」が不要になり、どのモードであるかの表示のための本体等に設けてあるインジケータ等も必要なくなる。
【発明を実施するための最良の形態】
【００２２】
以下、本発明を実施するための最良の形態としての実施例を図１〜図１０により以下に説明する。もちろん、本発明は、その発明の趣旨に反しない範囲で、実施例において説明した以外の構成のものに対しても容易に適用可能なことは説明を要するまでもない。
【００２３】
本発明は、ＨＤＤ装置部、ＤＶＤ装置部、ＶＣＲ装置部などの特定のＡＶ装置部を組み合わせて一体的に組み込んだ複数のＡＶ装置部を備えた複合電子装置であり、本発明の一例においては、リモコン装置で録画／再生／停止のキー操作を行うことにより、特定の装置部を選択するモード選択の案内表示を行なうように構成したＤＶＤ装置部とＶＣＲ装置部とを複合電子装置に一体的に組み込んだものを具体例として説明する。しかしながら、本発明はＤＶＤ装置部とＶＣＲ装置部とを組み合わせた複合電子装置のみをその対称にしているものではなく、ＨＤＤ装置部やその他の媒体による装置部を備えた複合電子装置を発明の対象としているものである。
【００２４】
図１はＶＣＲ装置部とＤＶＤ装置部とを有する複合電子装置の正面図、図２は複合電子装置を遠隔操作するリモコン送信機の平面図、図３は複合電子装置の構成を示すブロック図、図４はリモコン装置の操作により複合電子装置における操作対象であるＶＣＲ装置部又はＤＶＤ装置部の選択などの案内を表示する手順を示すフローチャート図、図５は複合電子装置の再生から停止の例を示す従来技術と本発明との比較説明図、図６は複合電子装置の停止から再生の例を示す従来技術と本発明との比較説明図、図７はＶＣＲ装置部又はＤＶＤ装置部による再生対象を選択する際のモニタ画面の一例を示す説明図、図８はＶＣＲ装置部又はＤＶＤ装置部による再生対象を選択する際のモニタ画面の一例を示す説明図、図９はＶＣＲ装置部又はＤＶＤ装置部による再生対象を選択する際のモニタ画面の一例を示す説明図、図１０はＶＣＲ装置部及びＤＶＤ装置部の他に、ＨＤＤ装置部及びメモリーカードを装着可能な複合電子装置のモニタ画面を示す説明図である。
【００２５】
図１により、ＶＣＲ装置部とＤＶＤ装置部を一体的に組み込んだ複合電子装置について説明する。図1に示す１は前後に分割可能な外観が箱型の複合電子装置であり、この複合電子装置１のキャビネット２内の左方には、ＤＶＤ装置部が内蔵されており、ＤＶＤディスクを装着するための進退可能なトレイなどがディスク装着部３に設けられている。一方、キャビネット２内の右方には、ＶＣＲ装置部が内蔵されており、ビデオカセットを挿入するためのカセット挿入部４が複合電子装置１の前面に配置されている。そして、これらの下方には横方向に複合電子装置の動作を指示する、すなわち操作するための操作キー５が配置されている。
【００２６】
キャビネット２の前面の中央には時計表示やカウンタ表示などを光電管で表示する表示管７が配置され、その右方にはＤＶＤモードやＶＣＲモードをといったモード表示をＬＥＤを点灯させて表示する図示しないインジケータを有し、また、キャビネット２の前面右方には他の電子装置との接続を可能とする端子部８が配置されている。
【００２７】
次に、複合電子装置を遠隔操作するリモコン装置について、図２に基づいて説明する。図２に示すリモコン装置４０の左上方には前記複合電子装置１の電源を遠隔でＯＮ／ＯＦＦ可能とする電源キー４１が、その右方隣にはカセット挿入部４からビデオカセットを取り出すための取り出しキー４２と、前記ディスク装着部３を開閉するオープン／クローズキー４３と、ＤＶＤモードとＶＣＲモードとのモード切換えキー４４が配置されている。また、前記リモコン装置の概ね中央部には放映されているテレビの番組放送映像と、前記ＤＶＤ装置部、ＶＣＲ装置部による再生映像とを入力切換えする入力切換えキー４４が配置され、その下方には決定キー４８の上下左右方向に選択キー４６が配置されている。また、その下方にはキー操作による指示内容を取消すための取消しキー４７が、更にその下方には録画や再生を停止させる停止キー５１と、再生を指示する再生キー５２と、一時停止を指示する一時停止キー５３とが横方向に配列されている。また、その下方にはスキップキー５４、巻戻しキー５５、早送りキー５６、スキップキー５７が配列されている。また、その左下方には録画キー５８と録画予約キー５９が配置されている。
【００２８】
続いて、図３により前記複合電子装置1を構成する回路ブロックについて説明する。図３に示す１は、前述のようにＶＣＲ装置部２１とＤＶＤ装置部２８とを一体的に組み込んだ複合電子装置であり、図３においてはＤＶＤ装置部２１とＶＣＲ装置部２８を一点鎖線で囲って示している。また、映像音声信号の流れを矢印のついた実線で、制御信号は矢印のついた点線で示している。この複合電子装置１はＤＶＤ装置部２１やＶＣＲ装置部２８を含む各部の動作を行う電源を供給するための電源部１８を有し、この装置１全体に電源を供給している。
【００２９】
また、ユーザによる指示操作によりこの装置１を動作させるためのリモコン装置４０から指示信号が送信され、この操作信号を受信する入力部１５が配置されており、入力部１５が受信したユーザに基づいて、制御部１６が前記装置１の電源をＯＮ／ＯＦＦする制御を行なう。または番組放送を選局する制御を行なう。或いはＤＶＤ装置部２１やＶＣＲ装置部２８の動作を制御して録画／再生／停止など装置1全体を制御する構成としている。この制御部１６は例えばＣＰＵ（Ｃｅｎｔｒａｌ  Ｐｒｏｃｅｓｓｉｎｇ  Ｕｎｉｔ）で構成され、前記それぞれの制御を行なうために、システム制御ソフトやＧＵＩ（Ｇｒａｐｈｉｃａｌ  Ｕｓｅｒ  Ｉｎｔｒｆａｃｅ）ソフト、及びその他、処理プログラムコードが記憶される記憶領域を備えている。また、この制御部１６は、チャンネル選局情報、或いはタイマー予約データも記憶する、例えば、書換え可能な不揮発性メモリで構成されたメモリ部１７が接続されており、後述するＯＳＤ（Ｏｎ  Ｓｃｒｅｅｎ  Ｄｉｓｐｌａｙ）重畳部１３に供給される文字や記号、キャラクタなどのデータもが記憶される。
【００３０】
この複合電子装置１は、アンテナ６０で受信した複数のテレビ番組放送の放送信号が入力されるアンテナ入力端子１９を有し、これと接続されるチューナ部１０はユーザのリモコン操作による指示に基づき前記制御部１６から発するチャンネル選局信号によって前記複数の放送信号から所望する１つを選局する。選局された放送信号は、復調部１１に供給されて映像信号と音声信号とが復調され、それぞれベースバンドの映像信号及び音声信号に変換される。なお、以降の説明では、理解を容易にするために音声信号の処理は省略し、映像信号の処理を主体に説明する。
【００３１】
次に、復調部１１で変換された映像信号は、受信した放送信号と、後述するＤＶＤ装置部２１による再生信号と、後述するＶＣＲ装置部２８による再生信号とを択一的に選択するセレクタ部１２を介してＯＳＤ重畳部１３に供給される。ＯＳＤ重畳部１３は、前記制御部１６に制御に基づきセレクタ部１２で択一的に選択された放送信号や再生信号をそのまま映像信号出力部１４に出力するか、或いは、セレクタ部１２によって選択された信号に、後述するリモコン装置４０の操作により表示されるＤＶＤモードやＶＣＲモードなどのモードに関する案内表示、或いはモード選択メニューや操作メニューなどの情報を重畳して出力する。これら重畳される表示や情報は、前記メモリ部１７に記憶されたデータを用いて前記制御部１６で生成される。前記ＯＳＤ重畳部１３から出力される映像信号は、映像信号出力部１４で表示部６１に表示可能に処理され、表示部に映像として表示される。この複合電子装置１は、陰極線管や液晶表示パネルなどの表示部６１を内蔵しておらず、前記映像信号出力部１４から出力された映像信号は映像信号出力端子２０と接続された複合電子装置１とは別体の表示部６１に表示される。表示部６１は、複合電子装置１内に設けても良いし、リモコン装置４０側に設けても良い。
【００３２】
続いて、ＤＶＤ装置部２１の構成について説明する。ＤＶＤ装置部２１は、前記復調部１１からのベースバンド信号が供給されるエンコーダ／フォーマッタ２３と、データプロセッサ２４と、ディスクドライブ部２５と、デコーダ２６と、バッファメモリ２７とで構成される。エンコーダ／フォーマッタ２３は、復調部１１から供給されるベースバンド信号を、デジタル信号に変換すると共に、ＭＰＥＧ（Ｍｏｖｉｎｇ
Ｐｉｃｔｕｒｅ Ｅｘｐｅｒｔｓ Ｇｒｏｕｐ）規格に基づく圧縮処理を施し、バッファメモリ２７を用いてこのＤＶＤ規格に対応したフォーマットに変換してデータプロセッサ２４に伝達される。バッファ回路、変調・復調回路、エラー訂正回路などを含む前記データプロセッサ２４は、ＤＶＤディスク２２に記録、或いは再生する単位のデータを取り扱い、エンコーダ／フォーマッタ２３から供給されるデータに対して、前記バッファ、変調・復調、エラー訂正などの処理を施して前記ディスクドライブ部２５に出力する。ディスクドライブ部２５は、ＤＶＤディスク２２を回転駆動すると共に前記供給されるデータをＤＶＤディスク２２に録画し、且つ再生を行う。該ディスク２２から再生されたデータは、データプロセッサ２４を介してデコーダ２６に伝達される。デコーダ２６は、前記再生データに対して、ＭＰＥＧ規格に基づく復号処理を施して、解凍されたデジタル信号に変換し、更にこのデジタル信号をアナログ信号に変換してベースバンドの信号としてセレクタ部１２に供給する。
【００３３】
次に、ＶＣＲ装置部２８の構成について説明する。このＶＣＲ装置部２８は、前記復調部１１からのベースバンド信号が供給される記録信号処理部３０と、装着したビデオカセット２９に録画再生を行うテープヘッドドライブ部３１と、再生信号処理部３２とで構成される。前記記録信号処理部３０は、輝度信号の周波数変調、色信号の搬送波低域変換と水平インターリーブ（Ｉｎｔｅｒｌｅａｖｅ）処理などを行ない、前記復調部１１からのベースバンド信号を記録する為の記録信号に変換する。また、テープヘッドドライブ部３１は、装着されるビデオカセット２９のテープを走行駆動するテープ駆動系と回転ヘッドを回転駆動するヘッド駆動系を有し、記録信号処理部３０から供給される記録信号をビデオカセット２９のテープに録画し、且つテープから読み取る再生動作を実行する。再生された再生信号は再生信号処理部３２によって元のベースバンド信号に変換され、前記セレクタ部１２に供給される。
【００３４】
以上のように構成された復号電子装置１において、ユーザがＤＶＤ装置部２１やＶＣＲ装置部２８にテレビ番組放送を録画する場合は、ユーザが前記リモコン装置４０を操作することにより、前記入力部１５がリモコン装置４０からの指示信号を受信し、前記制御部１６が録画する番組放送のチャンネル選局などの制御を行なうと共に、復調部１１を制御して選局された放送信号をベースバンドの映像信号及び音声信号に変換する制御を行なう。また、前記制御部１６はＤＶＤ装置部２１やＶＣＲ制御部２８の各部を制御する。これによってユーザが視聴している番組放送の映像音声のベースバンド信号はＤＶＤディスク２２やビデオカセット２９に録画可能に変換されて録画される。または、前記リモコン装置４０を操作してタイマー予約を行う場合は、ＤＶＤ装置部２１、或いはＶＣＲ装置部２８の何れに録画するかを図２に示すモード切換えキー４４を押下して選択すると共に、録画したい番組放送のチャンネルや放送開始時刻、放送終了時刻などのデータを入力し、これらのデータをメモリ部１７に記憶させる。また、この復号電子装置1には、前記チューナ部１０からのテレビ番組放送の受信信号を復調部１１、セレクタ部１２、ＯＳＤ重畳部１３を介して映像出力部１４から出力し、前記表示部６１でテレビ番組放送をそのまま表示して視聴することが出来る。
【００３５】
また、ＤＶＤ装置部２１やＶＣＲ装置部２８に録画されたテレビ番組放送を再生する場合は、ユーザが前記リモコン装置４０を操作することにより、前記入力部１５がリモコン装置４０からの指示信号を受信し、前記制御部１６がＤＶＤ装置部２１やＶＣＲ制御部２８の各部とセレクタ部１２、ＯＳＤ重畳部１３を制御して、前記セレクタ部１２によりＤＶＤディスク２２やビデオカセット２９から再生された再生信号が選択され、再生信号をそのまま映像信号出力部１４に供給する、或いは、セレクタ部１２によって選択された再生信号に、リモコン装置４０の操作により表示されるＤＶＤモードやＶＣＲモードなどのモードに関する案内表示、或いはモード選択メニューや操作メニューなどの情報を重畳して供給される映像信号は、映像信号出力部１４で表示部６１に表示可能に処理され、前記別体の表示部６１に表示される。
【００３６】
この復号電子装置1は、テレビ番組放送を受信して映像信号を出力するまでのチューナ部１０、復調部１１、セレクタ部１２、重畳部１３、映像信号出力部１４、及び制御部１６などの各部、及びＤＶＤ装置部２１やＶＣＲ装置部２８の各機能と各動作状態を初期設定しているが、ユーザ自身が好みに合わせて設定変更することが出来る初期設定変更機能を備えており、図２に示すリモコン装置４０の選択キー４６などを操作して発信される指示信号を入力部１５を介して制御部１６に伝えると、制御部１６はＧＵＩ形式のメニュー情報を生成してＯＳＤ重畳部１３に供給し、映像信号出力部１４から表示部６１にて映像画面に重畳するメニュー画面を表示させる。これにより、ユーザは前記表示されたメニュー画面を見ながら、前記リモコン装置４０の選択キー４６を操作し、及び取消しキー４７や決定キー４８などを押下して、メニュー画面に表示されたメニュー項目ごとに好みの設定に変更することが出来る。
【００３７】
以上、図４により、本発明の操作手順を説明する。ステップＳ１でユーザにより「操作キー」が押されると、ステップＳ２において、その押された「操作キー」が「兼用キー」か否かが判断され、「兼用キー」でなければ、ステップＳ４において、押された「操作キー」に従って制御される。もしステップＳ２において、その押された「操作キー」が「兼用キー」であれば、ステップＳ３において、その押された「兼用キー」が複数のモードで有効なキーか否かが判断され、さらにステップＳ５において、現在のモードで有効なキーか否かが判断され、現在のモードで有効なキーでなければ、後述するステップＳ７において、ＯＳＤ装置選択画面を表示する。ステップＳ５において、現在のモードで有効なキーであれば、ステップＳ６において押された「操作キー」に従って制御される。
【００３８】
ステップＳ３において、押された「兼用キー」が複数のモードで有効なキーであると判断された場合には、ステップＳ７において、ＯＳＤ装置選択画面を表示し、ユーザに装置部の選択を促し、次いで、ステップＳ８において、ユーザが装置部の選択を行ったか否かを判断する。ステップＳ８において、ユーザが装置部の選択を行わない場合は、ステップＳ１２において、ＯＳＤの装置選択画面の表示を消去する。また、ステップＳ８において、ユーザが装置部の選択を行なった場合には、ステップＳ９において、ＯＳＤの装置選択画面の表示を消去し、ステップＳ１０において、ユーザが選択した装置部のモードに変更し、その後、ユーザが押した操作キーに従って制御するものである。
【００３９】
以下、本発明の作用効果をより明確にするために、ＤＶＤ装置部とＶＣＲ装置部を備えた従来の装置の動作と本発明の複合電子装置の動作とを対比して示したマトリックス図を用いて説明する。
【００４０】
図５は、ＤＶＤ装置だけ再生中、ＶＣＲ装置だけ再生中、ＤＶＤ装置もＶＣＲ装置再生中の場合があり。また、ＤＶＤ装置及びＶＣＲ装置に録画機能が備えられていれば、再生中だけでなく録画中も同じ条件となる。また、一方が録画中で他方が再生中というように、録画中と再生中の組み合わせの場合も考えられる。さらに、再生中、録画中の他に早送り中、早戻し中の場合も考えられる（例えば、ＶＣＲ装置が巻戻し中でＤＶＤ装置が再生中の場合）。つまり図５は、左欄の「機器の状態」であるとき、ＤＶＤ装置の再生を停止させる場合、及びＶＣＲ装置の再生を停止させる場合に、これらの動作を停止させるために「停止ボタン」を押した場合の従来の装置の動作と本発明の複合電子装置の動作との対比マトリックスである。
【００４１】
図６は、停止から再生に移行する場合のマトリックス図であり、ＤＶＤ装置とＶＣＲ装置に媒体（ディスクとカセットテープ）が装着されている場合（「Ｄあり」「Ｔあり」で表示）と媒体が装着されていない場合（「Ｄなし」「Ｔなし」で表示）とがある。勿論、ＤＶＤ装置及びＶＣＲ装置に録画機能が備えられていれば、再生中だけでなく録画中も同じ条件となる。ディスク又はテープを再生させるためには「再生キー」を押すことになり、ディスク又はテープに記録するためには「記録キー」を押すことになる。つまり図６は、左欄の「機器の状態」であるとき、ＤＶＤ装置で再生する場合、及びＶＣＲ装置で再生する場合に、これらの動作をさせるためにキーを押した場合の従来の装置の動作と本発明の複合電子装置の動作との対比マトリックスである。
【００４２】
以下、本発明の実施例において、「どのモードにするか」を聞いてくる場合の画面表示の具体例について説明する。
【００４３】
図７は「再生キー」を押したときの例を示すものであり、（ａ）は「再生キー」の押下によってＤＶＤ装置とＶＣＲ装置を左右のカーソルキーによって選択させるものであり、例えば左カーソルキーによりＶＣＲ装置が選択されると、（ｂ）に示すように、ＶＣＲ装置の表示が選択され、他の表示は消えてＶＣＲモードに切り換わってＶＣＲが再生される。
【００４４】
図８は「再生キー」を押したときにＯＫか否かをユーザに確認させる場合の表示例を示し、現在のモードを基準にして表示する。図８ではＤＶＤモードになっている場合の例であるので、（ａ）において「ＤＶＤを再生しますか？」と表示されるようにしているが、もしＶＣＲモードになっていれば「ＶＣＲを再生しますか？」と表示されるように構成する。（ａ）において右カーソルキーで「ＮＯ（ＶＣＲ再生）」を選択すると（ｂ）の画面表示となり、他の表示は消えてＶＣＲモードに切り換わってＶＣＲが再生される。
【００４５】
図７及び図８の画面表示例では、左右方向のカーソルキーによって装置部モードを選択する方式を採用したが、図９に示すように上下のカーソルキーによって装置部モードを選択する方式を採用しても良い。以上の操作をキャンセルしたい場合は、キャンセルキー（取り消しキー）を押すことによりキャンセルされる。
【００４６】
以上においては、複合装置の例として、ＤＶＤ再生機部とＶＣＲ装置部の一体型装置の例を挙げて説明してきたが、下記のような装置部の組み合わせでも同様の効果を奏するものである。また、新しい媒体の記録再生装置が出てきたとしても本発明は同様に適用可能である。
（１）ＤＶＤレコーダ（記録／再生機）とＶＣＲの一体型装置
（２）ＤＶＤレコーダ（記録／再生機）とＨＤＤレコーダ（記録／再生機）の一体型装置
（３）ＤＶＤレコーダ（記録／再生機）とＶＣＲとＨＤＤレコーダ（記録／再生機）の一体型装置
（４）ＤＶＤレコーダ（記録／再生機）とＶＣＲとＨＤＤレコーダ（記録／再生機）とメモリーカードの一体型装置
【００４７】
上記（４）の例が、図９（ａ）に示されており、４つまでの装置部の複合機ならば、現在のリモコン送信機を変更せずに、上下左右のカーソルキーで対応することができる。また、（ｂ）のように、ＶＣＲのビデオテープ、ＤＶＤのディスクが装着されていない場合には当該装置部のモードが選択できないように表示しないように構成することも可能である。
【図面の簡単な説明】
【００４８】
【図１】本発明の実施例におけるＶＣＲ装置部とＤＶＤ装置部とを有する複合電子装置の正面図である。
【図２】本発明の実施例における複合電子装置を遠隔操作するリモコン送信機の平面図である。
【図３】本発明の実施例における複合電子装置の構成を示すブロック図である。
【図４】本発明の実施例における複合電子装置の制御手順を示すフローチャート図である。
【図５】本発明の実施例における複合電子装置の再生から停止の例を示す従来技術と本発明との比較説明図である。
【図６】本発明の実施例における複合電子装置の停止から再生の例を示す従来技術と本発明との比較説明図である。
【図７】本発明の実施例における複合電子装置のＶＣＲ装置部又はＤＶＤ装置部による再生対象を選択する際のモニタ画面の一例を示す説明図である。
【図８】本発明の実施例における複合電子装置のＶＣＲ装置部又はＤＶＤ装置部による再生対象を選択する際のモニタ画面の一例を示す説明図である。
【図９】本発明の実施例における複合電子装置のＶＣＲ装置部又はＤＶＤ装置部による再生対象を選択する際のモニタ画面の一例を示す説明図である。
【図１０】本発明の実施例における複合電子装置のＶＣＲ装置部及びＤＶＤ装置部の他に、ＨＤＤ装置部及びメモリーカードを装着可能な複合電子装置のモニタ画面を示す説明図である。
【符号の説明】
【００４９】
１  複合電子装置
５  操作キー
７  表示管
２１  ＤＶＤ装置部
２８  ＶＣＲ装置部
４０  リモコン装置
【図１】
2006338748.tif 000003
【図２】
2006338748.tif 000004
【図３】
2006338748.tif 000005
【図４】
2006338748.tif 000006
【図５】
2006338748.tif 000007
【図６】
2006338748.tif 000008
【図７】
2006338748.tif 000009
【図８】
2006338748.tif 000010
【図９】
2006338748.tif 000011
【図１０】
2006338748.tif 000012